(57)【要約】【課題】グリル扉の前面に取手部分を設けずとも、簡単な操作でグリル扉を前方に引き出すことのできるグリル装置を提供する。【解決手段】グリル装置１は、グリル庫２と、グリル庫２の開口部２０を閉じるグリル扉２１と、グリル扉２１を前後にスライド自在に支持するスライドレール部と、プッシュラッチ機構を備える。プッシュラッチ機構は、グリル扉２１を、開口部２０を閉じる閉位置にロックし、閉位置にあるグリル扉２１がさらに後方Ｂに押し込まれると、グリル扉２１のロックを解除してグリル扉２１を前方Ｆに押し出すように構成されている。【選択図】図１
2019037596.tif 000002
【特許請求の範囲】
【請求項１】
前方に向けて開口した開口部を有するグリル庫と、
前記グリル庫に設けられたバーナ装置と、
グリル用の受け皿が載置されるフレームと、
前記フレームに連結されたグリル扉と、
前記グリル扉を前後にスライド自在に支持するスライドレール部と、
前記グリル扉を、前記開口部を閉じる閉位置でロックするプッシュラッチ機構と、を備え、
前記プッシュラッチ機構は、前記閉位置にある前記グリル扉がさらに後方に押し込まれると、前記グリル扉のロックを解除して前記グリル扉を前方に押し出すように構成されている
ことを特徴とするグリル装置。
【請求項２】
前記グリル扉が前記閉位置にあるときに、前記開口部の周縁部分と前記グリル扉と間に位置するパッキン部を、さらに備え、
前記パッキン部の撓み代が、前記プッシュラッチ機構の後方への押し込み代を兼ねる
ことを特徴とする請求項１に記載のグリル装置。
【請求項３】
前記プッシュラッチ機構は、前記スライドレール部に組み込まれている
ことを特徴とする請求項１または請求項２に記載のグリル装置。
【請求項４】
前記プッシュラッチ機構は、前記グリル庫の内壁面と前記グリル扉との間に設けられている
ことを特徴とする請求項１または請求項２に記載のグリル装置。
【請求項５】
前記グリル庫の内部空間を、上側の調理空間と下側の通気空間に仕切る遮熱壁を、さらに備え、
前記グリル扉が前記閉位置にあるときに、前記プッシュラッチ機構は前記通気空間に位置する
ことを特徴とする請求項１から請求項４のいずれか一項に記載のグリル装置。
【請求項６】
前記フレームの前部に連結される連結部を、さらに備え、
前記連結部と前記グリル扉は、互いに及ぼす磁気的吸引力によって結合されている
ことを特徴とする請求項１から請求項５のいずれか一項に記載のグリル装置。
【発明の詳細な説明】
【技術分野】
【０００１】
本発明はグリル装置に関し、詳しくは、グリル装置が備えるグリル庫の開口部を開閉する技術に関する。
【背景技術】
【０００２】
グリル庫を備えたグリル装置において、グリル庫の開口部を閉じるグリル扉を前方に引き出すための構造として、グリル扉の前面に取手部分を設けることが一般的である（特許文献１参照）。
【先行技術文献】
【特許文献】
【０００３】
【特許文献１】特開２０１７−９２５０号公報
【発明の概要】
【発明が解決しようとする課題】
【０００４】
上記した従来のグリル装置においては、グリル扉の前面に取手部分が必要であることから、グリル扉の前面を平坦に設けることが困難であった。
【０００５】
本発明は、グリル扉の前面に取手部分を設けずとも、簡単な操作でグリル扉を前方に引き出すことのできるグリル装置を提供することを、目的とする。
【課題を解決するための手段】
【０００６】
本発明の一様態に係るグリル装置は、前方に向けて開口した開口部を有するグリル庫と、前記グリル庫に設けられたバーナ装置と、グリル用の受け皿が載置されるフレームと、前記フレームに連結されたグリル扉と、前記グリル扉を前後にスライド自在に支持するスライドレール部と、前記グリル扉を、前記開口部を閉じる閉位置でロックするプッシュラッチ機構と、を備える。前記プッシュラッチ機構は、前記閉位置にある前記グリル扉がさらに後方に押し込まれると、前記グリル扉のロックを解除して前記グリル扉を前方に押し出すように構成されている。
【発明の効果】
【０００７】
本発明は、グリル扉の前面に取手部分を設けずとも、簡単な操作でグリル扉を前方に引き出すことができるという効果を奏する。
【図面の簡単な説明】
【０００８】
【図１】図１は、本実施形態のグリル装置の全体斜視図である。
【図２】図２は、同上のグリル装置が備えるグリル庫の平面図である。
【図３】図３は、同上のグリル庫を図２のａ−ａ線で切断した斜視図である。
【図４】図４は、同上のグリル庫の正面図である。
【図５】図５は、同上のグリル庫の上側の部品を外した状態の斜視図である。
【図６】図６は、同上のグリル庫の部品をさらに外した状態の斜視図である。
【図７】図７Ａは、同上のグリル庫が備えるスライドレールの後端部の非ロック状態の側面図であり、図７Ｂは、同上のスライドレールの後端部のロック状態の側面図である。
【図８】図８Ａは、同上のスライドレールに組み込まれたロック部材とブロックキャリアの関係を示す説明図であり、図８Ｂは、同上のスライドレールに組み込まれたロック部材とスライドブロックの関係を示す説明図である。
【図９】図９は、同上のグリル装置が備えるグリル扉の取付構造を示す分解斜視図である。
【図１０】図１０は、同上のグリル庫の変形例の要部を示す平面図である。
【発明を実施するための形態】
【０００９】
添付図面に基づいて、一実施形態のグリル装置１について説明する。
【００１０】
［グリル装置の全体構造］
本実施形態のグリル装置１は、グリル付きガスコンロであるが、コンロを備えないグリル単体で構成されてもよい。また、本実施形態のグリル装置１は、キッチンカウンターに形成された開口部分に上方より挿入されて設置されるドロップイン方式のグリル装置であるが、特にドロップイン方式に限定されない。
【００１１】
図１に示すように、本実施形態のグリル装置１は、本体ケーシング１０と、これに設置された加熱手段を操作することのできる操作部１６を備える。
【００１２】
本実施形態の加熱手段は、コンロ用のバーナ装置１１と、グリル用のバーナ装置３（図３等参照）である。コンロ用のバーナ装置１１は、三つのバーナ１１Ａ〜１１Ｃを備えている。グリル用のバーナ装置３は、下バーナ３１と上バーナ３２を備えている。
【００１３】
コンロ用の三つのバーナ１１Ａ〜１１Ｃと、グリル用の下バーナ３１は、ガスの流れにより一次空気を吸引し、円周上に配置された多数の炎口を通じて火炎を発生させるように構成された、いわゆるブンゼンバーナである。上バーナ３２は、面状に設けられた赤外線バーナである。
【００１４】
本体ケーシング１０は、上方に開口する略箱状の外形を有し、この開口を覆う天板１２を備える。天板１２の各バーナ１１Ａ〜１１Ｃが設けられる部分には、バーナ挿通口が形成されている。
【００１５】
ここで、グリル装置１における前後方向を定義する。図１に示すように、その設計上、グリル装置１に対して使用者が位置する方を前方Ｆと定義し、その反対を後方Ｂと定義する。左右方向については、後方Ｂを向いてグリル装置１を使用するときの使用者を基準として、左方Ｌと右方Ｒを定義する。
【００１６】
本体ケーシング１０の前面パネル１５に、操作部１６が設けられている。操作部１６を用いて、バーナ装置１１の点火と消火の切り替えの指令や、火力調節の指令を与えることができる。
【００１７】
［グリル庫］
本体ケーシング１０内には、図２や図４に全体を示すグリル庫２が、収容されている。
【００１８】
グリル庫２は、その内部空間２００に下バーナ３１と上バーナ３２を備えている（図３等参照）。グリル庫２は、前方Ｆに向けて開口する開口部２０を有する。内部空間２００（後述の調理空間２００Ａ）には、開口部２０を通じて前方Ｆから加熱調理対象を出し入れすることが可能である。
【００１９】
図１に示すように、グリル庫２の開口部２０には、グリル扉２１が開閉自在に設けられる。図２〜図６においては、グリル扉２１の記載を省略している。
【００２０】
図３等に示すように、下バーナ３１は、グリル庫２の底部２２の上に設置されている。下バーナ３１は、その軸方向が前後方向となる姿勢で底部２２に取り付けられたバーナ本体３１１と、バーナ本体３１１に載置されたバーナキャップ３１２と、バーナ本体３１１とバーナキャップ３１２の間に形成された炎口部３１３と、炎口部３１３から噴出する燃料ガスに点火して火炎を発生させる点火プラグ３１４を備える。炎口部３１３は、バーナキャップ３１２の周方向に沿って互いに間隔をあけて並んだ多数の炎口を有する。
【００２１】
下バーナ３１は、温度センサ３１５をさらに備えている。温度センサ３１５は、バーナキャップ３１２の中央部分から、さらに上方に突出している。温度センサ３１５は、受け皿６がグリル庫２に収納された状態において、受け皿６の底部に当たってその温度を検出するように構成されている。上バーナ３２は、その下面が内部空間２００に面するように、グリル庫２の天井部２４に取り付けられている。
【００２２】
さらにグリル庫２内には、その内部空間２００を上下に仕切るように遮熱壁２５が設けられている。遮熱壁２５は、一枚の板で構成されてもよいし、複数枚の板で構成されてもよい。
【００２３】
遮熱壁２５には、平面視における中央部分に、円形状のバーナ挿通口２５０（図５参照）が形成されている。下バーナ３１のうち炎口部３１３を含む上側部分は、バーナ挿通口２５０を通じて上方に突出する。
【００２４】
内部空間２００のうち遮熱壁２５より仕切られた上側の空間が、下バーナ３１と上バーナ３２の加熱によって、受け皿６上の加熱調理対象に対して加熱調理を行う調理空間２００Ａである。内部空間２００のうち遮熱壁２５により仕切られた下側の空間が、バーナ本体３１１を含む各種機器が配置される通気空間２００Ｂである。下バーナ３１の燃焼のための一次空気は、通気空間２００Ｂにおいてバーナ本体３１１に送られる。
【００２５】
受け皿６は、グリル庫２内に設置されたフレーム４によって、着脱自在に保持される。本実施形態のフレーム４は、金属の線材を屈曲させて平面視概矩形状に設けたフレームであるが、その形状や材質は特に限定されない。
【００２６】
フレーム４の前部分は、図３、図４等に示す平板状の連結部４５に対して、着脱自在に連結されている。
【００２７】
さらに連結部４５には、その前面にグリル扉２１（図９参照）が連結され、かつ、その左右両端部に一対のスライドレール５１（図６参照）が連結される。
【００２８】
図９に示すように、グリル扉２１と連結部４５は、グリル扉２１の後面に設けられた磁石２９と、金属製である連結部４５の前面との間で互いに及ぼす磁気的吸引力によって、結合される。グリル扉２１にはネジ固定用の構造がなく、グリル扉２１の全体が平坦に形成されている。
【００２９】
なお、本願において用いる平坦の文言は、完全な意味での平坦を意味せず、略平坦なものを含む。グリル扉２１と連結部４５を結合させるための磁石２９は、グリル扉２１の側に設けることに限定されず、グリル扉２１と連結部４５のうち、一方または両方に設けることが可能である。
【００３０】
図６等に示すように、左右一対のスライドレール５１は、連結部４５の左右両端部から後方Ｂに向けて伸びるように、連結部４５に連結される。スライドレール５１は、可動レール５１２と固定レール５１４と中間レール５１６を備える三段式のスライドレールであり、可動レール５１２の前端部が連結部４５に固定される。固定レール５１４は、通気空間２００Ｂの左右方向の端部に位置するように、グリル庫２の側壁部２６の内面に固定される。中間レール５１６は、可動レール５１２と固定レール５１４の間に配置され、可動レール５１２と固定レール５１４のそれぞれに対して、所定の範囲内において前後に摺動自在に設けられている。
【００３１】
なお、スライドレール５１は三段式に限定されず、二段式あるいは四段式以上のスライドレールを採用することも可能である。
【００３２】
上記した左右一対のスライドレール５１を備えるスライドレール部５と、これに連結される連結部４５と、連結部４５に連結されるフレーム４およびグリル扉２１によって、グリル庫２の開口部２０を通じて前後に出し入れ自在な移動ユニットが構成される。
【００３３】
グリル扉２１とフレーム４は、スライドレール部５を介して、前後方向の所定範囲内でスライド自在（往復動自在）に支持される。グリル扉２１は、その前後のスライド範囲のうち後側の閉位置にあるときに、図１に示すようにグリル庫２の開口部２０を閉じるように構成されている。
【００３４】
グリル庫２の後壁部２７のうち調理空間２００Ａに面する部分からは、後方Ｂにむけて排気路２８（図３参照）が延設されている。調理空間２００Ａの空気は、排気路２８を通じて後方Ｂに送られ、外部に放出される。
【００３５】
本実施形態のグリル装置１は、グリル扉２１をいわゆるプッシュオープン式で構成するためにプッシュラッチ機構７を備え、さらにパッキン部８を備えている。
【００３６】
以下、プッシュラッチ機構７とパッキン部８について説明する。
【００３７】
［プッシュラッチ機構］
プッシュラッチ機構７は、グリル扉２１を閉位置でロックするとともに、閉位置にあるグリル扉２１がさらに後方Ｂに押し込まれると、グリル扉２１のロックを解除してグリル扉２１を前方Ｆに押し出す機構である。
【００３８】
本実施形態のプッシュラッチ機構７は、図７Ａ、図７Ｂに示すように、各スライドレール５１に組み込まれている。
【００３９】
プッシュラッチ機構７は、固定レール５１４の後端部に揺動自在に支持されたレバー状のロック部材７１と、固定レール５１４の後端部に前後スライド自在に保持されたブロックキャリア７２と、ブロックキャリア７２を前方Ｆに付勢する一対のスプリング７３と、ブロックキャリア７２と一体に前後にスライドするようにブロックキャリア７２に組み込まれたスライドブロック７４（図８Ａ、図８Ｂ参照）と、ブロックキャリア７２の前端部に取り付けられた鉤部材７５と、可動レール５１２の後端部に固定された爪部材７６を備える。
【００４０】
上記の各構成は公知の技術であるから詳細な説明は省略するが、グリル扉２１を後方Ｂに押し込むと、可動レール５１２がグリル扉２１と一体に後退し、グリル扉２１が閉位置に至る直前に、爪部材７６が、鉤部材７５を介してブロックキャリア７２を後方Ｂに押し込む（図８Ａ参照）。これにより、スライドブロック７４がブロックキャリア７２と一体に後退し、スライドブロック７４に設けてある案内溝７４１（図８Ｂ参照）に、ロック部材７１に設けてあるロックピン７１５が挿入される。
【００４１】
ロックピン７１５が案内溝７４１内の最も奥側にまで挿入された状態で、グリル扉２１を押し込む力を解除すると、スプリング７３が及ぼす付勢力によって、ロックピン７１５は案内溝７４１の側面に案内されながら、案内溝７４１の一部に設けられた凹み７４３に引っ掛かる。これにより、ブロックキャリア７２と、鉤部材７５および爪部材７６を介してブロックキャリア７２に連結された状態の可動レール５１２は、その位置でロックされる。グリル扉２１は、グリル庫２の開口部２を閉じる閉位置でロックされる。
【００４２】
次に、閉位置にあるグリル扉２１をさらに後方Ｂに押し込むと、可動レール５１２に押されてブロックキャリア７２が後退することで、ロックピン７１５の凹み７４３への引っ掛かりが解除される。ここで、グリル扉２１を押し込む力を解除すると、スプリング７３が及ぼす付勢力によって、ロックピン７１５は案内溝７４１から脱出する。これにより、グリル扉２１は閉位置よりも前方Ｆに押し出されるので、その後は、使用者がグリル扉２１の下端部に指を引っ掛ける等して、グリル扉２１を前方Ｆに引き出せばよい。
【００４３】
なお、プッシュラッチ機構７は上記の構成に限定されず、スライドレール５１に組み込まれるタイプの多様な機構を採用することが可能である。
【００４４】
ここで、たとえばプッシュラッチ機構７の各部材が合成樹脂製であるときに、高温下において変形や破損を生じる虞がある。これに対して本実施形態では、グリル扉２１が閉位置にあるときに、プッシュラッチ機構７が組み込まれたスライドレール部５は、比較的低温の通気空間２００Ｂに位置する。そのため、プッシュラッチ機構７の変形や破損は抑えられる。
【００４５】
［パッキン部］
パッキン部８は、グリル扉２１が閉位置でロックされているときに、グリル庫２の開口部２０の周縁部分とグリル扉２１と間に挟まれ、開口部２０とグリル扉２１の間のシール性を高めるように構成されている。
【００４６】
本実施形態のパッキン部８は、図３、図４等に示すように、グリル庫２の開口部２０の周縁部分に装着された複数のパッキン部材８１を含む。複数のパッキン部材８１はそれぞれ、前後方向に撓み代を有するように断面略Ｕ字状に形成されたゴム製の部材であるが、その形状や材質は特に限定されない。
【００４７】
また、パッキン部８を設ける箇所も、グリル庫２の開口部２０の周縁部分に限定されない。パッキン部８は、グリル庫２の開口部２０の周縁部分とグリル扉２１のうち、一方または両方に設けることが可能である。
【００４８】
上記したように、本実施形態のグリル装置１は、プッシュラッチ機構７に加えてパッキン部８を備えているので、閉位置でロックされたグリル扉２１を後方Ｂに向けて手で押し込むと、パッキン部８が撓むとともにグリル扉２１のロックが解除され、ここでグリル扉２１から手を離すと、グリル扉２１が前方Ｆに押し出される。つまり、パッキン部８の撓み代が、プッシュラッチ機構７の後方Ｂへの押し込み代を兼ねている。
【００４９】
本実施形態のグリル装置１では、グリル扉２１がプッシュオープン式に構成されており、グリル扉２１の前面に取手部分を設ける必要がないことから、グリル扉２１の前面を平坦に形成し、グリル装置１の前面パネル１５とグリル扉２１を面一（いわゆるフルフラット）に設けることが可能である。
【００５０】
［変形例］
次に、グリル装置１が備えるプッシュラッチ機構７の変形例について、図１０に基づいて説明する。
【００５１】
この変形例において、プッシュラッチ機構７は、スライドレール５１に組み込まれるのではなく、グリル庫２の内壁面とグリル扉２１との間に設けられる。
【００５２】
プッシュラッチ機構７は、グリル庫２の底部２２の前端部に固定された左右一対のプッシュラッチ７７を含む。各プッシュラッチ７７は、磁石が組み込まれた作動体７７１と、この作動体７７１が突没自在に収容されるボックス型の本体部７７３を備えた、マグネット型のプッシュラッチである。この種のプッシュラッチは公知の技術であるから詳細な説明は省略するが、閉位置にあるグリル扉２１の磁性体の部分と作動体７７１とが互いに磁気吸着した状態で、グリル扉２１を後方Ｂに押し込んだ後に手を離すと、作動体７７１が本体部７７３から前方Ｆに勢いよく突出して、グリル扉２１を閉位置よりも前方Ｆに移動させる。
【００５３】
各プッシュラッチ７７は、比較的低温である通気空間２００Ｂのなかでも、さらに低温な前側部分に位置する。そのため、この変形例においても、熱の影響でプッシュラッチ機構７が変形や破損を生じることは抑えられる。
【００５４】
各プッシュラッチ７７は、アームとこれを受けるストライクを備えるタイプのプッシュラッチでもよく、その構造は特に限定されない。また、プッシュラッチ７７の個数も二つに限定されず、一つまたは３つ以上であってもよい。
【００５５】
［作用効果］
以上、添付図面に基づいて説明したように、本実施形態のグリル装置１は、下記の第１の特徴を備える。
【００５６】
つまり、本実施形態のグリル装置１は、グリル庫２、バーナ装置３、フレーム４、グリル扉２１、スライドレール部５およびプッシュラッチ機構７を備える。
【００５７】
グリル庫２は、前方Ｆに向けて開口した開口部２０を有する。バーナ装置３は、グリル庫２に設けられている。フレーム４には、グリル用の受け皿６が載置される。グリル扉２１は、フレーム４に連結されている。スライドレール部５は、グリル扉２１を前後にスライド自在に支持する。プッシュラッチ機構７は、グリル扉２１を、開口部２０を閉じる閉位置でロックする。プッシュラッチ機構７は、閉位置にあるグリル扉２１がさらに後方Ｂに押し込まれると、グリル扉２１のロックを解除してグリル扉２１を前方Ｆに押し出すように構成されている。
【００５８】
したがって、本実施形態のグリル装置１によれば、グリル扉２１をいわゆるプッシュオープン式に構成することができ、グリル扉２１の前面に取手部分を設けずとも、手でグリル扉２１を後方Ｂに押すだけの簡単な操作で、グリル扉２１を前方Ｆに引き出すことが可能である。グリル扉２１の前面は、従来のものに比べて取手部分が不要になる分だけ、その全体が平坦に形成されやすくなる。
【００５９】
また、本実施形態のグリル装置１は、下記の第２の特徴をさらに備える。
【００６０】
つまり、本実施形態のグリル装置１は、パッキン部８をさらに備える。パッキン部８は、グリル扉２１が閉位置にあるときに、開口部２０の周縁部分とグリル扉２１と間に位置する。パッキン部８の撓み代が、プッシュラッチ機構７の後方Ｂへの押し込み代を兼ねる。
【００６１】
したがって、本実施形態のグリル装置１によれば、パッキン部８によって開口部２０とグリル扉２１の間のシール性を確保し、かつ、パッキン部８によってプッシュオープンの際のグリル扉２１の押し込み代を確保することができる。
【００６２】
また、本実施形態のグリル装置１は、下記の第３の特徴をさらに備える。
【００６３】
つまり、本実施形態のグリル装置１において、プッシュラッチ機構７は、スライドレール部５に組み込まれている。
【００６４】
したがって、本実施形態のグリル装置１によれば、スライドレール部５に組み込まれたコンパクトなプッシュラッチ機構７によって、グリル扉２１をプッシュオープン式に構成することができる。
【００６５】
また、本実施形態のグリル装置１は、下記の第４の特徴をさらに備える。
【００６６】
つまり、本実施形態のグリル装置１において、プッシュラッチ機構７は、グリル庫２の内壁面とグリル扉２１との間に設けられている。
【００６７】
したがって、本実施形態のグリル装置１によれば、グリル扉２１に対して直接的に作用するようにプッシュラッチ機構７を構成することができる。
【００６８】
また、本実施形態のグリル装置１は、下記の第５の特徴をさらに備える。
【００６９】
つまり、本実施形態のグリル装置１は、遮熱壁２５をさらに備える。遮熱壁２５は、グリル庫２の内部空間２００を、上側の調理空間２００Ａと下側の通気空間２００Ｂに仕切る。グリル扉２１が閉位置にあるときに、プッシュラッチ機構７は通気空間２００Ｂに位置する。
【００７０】
したがって、本実施形態のグリル装置１によれば、加熱調理時であっても通気空間２００Ｂの温度上昇は抑制され、熱の影響がプッシュラッチ機構７に及ぶことは抑えられる。
【００７１】
また、本実施形態のグリル装置１は、下記の第６の特徴をさらに備える。
【００７２】
つまり、本実施形態のグリル装置１は、フレーム４の前部に連結される連結部４５をさらに備える。連結部４５とグリル扉２１は、互いに及ぼす磁気的吸引力によって結合されている。
【００７３】
したがって、本実施形態のグリル装置１によれば、ネジ固定用の構造をグリル扉２１に設けることなく、グリル扉２１を連結部４５に結合させることができる。そのため、グリル扉２１の全体をさらに平坦に形成しやすい。
【００７４】
以上、添付図面に示す実施形態に基づいてグリル装置を説明したが、グリル装置の構成は前記の実施形態に限定されず、適宜の設計変更を行うことが可能である。
【符号の説明】
【００７５】
１  グリル装置
２  グリル庫
２０  開口部
２００  内部空間
２００Ａ  調理空間
２００Ｂ  通気空間
２１  グリル扉
２５  遮熱壁
３  バーナ装置
３１  下バーナ
４  フレーム
４５  連結部
５  スライドレール部
６  受け皿
７  プッシュラッチ機構
８  パッキン部
Ｆ  前方
Ｂ  後方
【図１】
2019037596.tif 000003
【図２】
2019037596.tif 000004
【図３】
2019037596.tif 000005
【図４】
2019037596.tif 000006
【図５】
2019037596.tif 000007
【図６】
2019037596.tif 000008
【図７】
2019037596.tif 000009
【図８】
2019037596.tif 000010
【図９】
2019037596.tif 000011
【図１０】
2019037596.tif 000012